(57)【要約】【課題】コアにおける各スロットに対し、インシュレータが備える各インシュレータ部材をコアの軸方向で嵌入させ、インシュレータを介しコアに巻線を巻装させるようにした電機子において、コアの軸方向で、このコアとインシュレータとをより長くすることにより、巻線の巻線量の増加が十分に多くできるようにする。【解決手段】コア４が、その軸心３の径方向の一方向に向かって突出して軸心３回りの周方向で複数設けられるティース１１とを備える。インシュレータ５が、周方向で互いに隣り合う両ティース１１間の各スロット１２にそれぞれ嵌入される複数のインシュレータ部材１４を備える。コア４の軸方向におけるインシュレータ５の一端部側５ａ、他端部側５ｂ、および中途部５ｃが互いに別体となるようこのインシュレータ５を分断する。【選択図】図１
2007244185.tif 000002
【特許請求の範囲】
【請求項１】
コアと、このコアの外面側に取り付けられるインシュレータと、このインシュレータを介し上記コアに巻装される巻線とを備え、上記コアが、その軸心の径方向の一方向に向かって突出して上記軸心回りの周方向で複数設けられるティースを備え、一方、上記インシュレータが、上記周方向で互いに隣り合う両ティース間の各スロットにそれぞれ嵌入される複数のインシュレータ部材を備えた電機子において、
上記コアの軸方向における上記インシュレータの一端部側、他端部側、および中途部が互いに別体となるようこのインシュレータを分断したことを特徴とする電機子。
【請求項２】
請求項１に記載の電機子の絶縁方法であって、
上記インシュレータの中途部が備える上記各インシュレータ部材の中途部を、上記コアの外方域において上記各スロットの配置に相応するよう配置すると共に結合体により互いに一体的に結合し、次に、上記各インシュレータ部材の中途部を上記各スロットに嵌入し、次に、上記各インシュレータ部材の中途部側から上記結合体を除去するようにしたことを特徴とする請求項１に記載の電機子の絶縁方法。
【請求項３】
上記結合体が、上記コアの軸方向の外方域からこのコアに嵌合可能とされる嵌合体と、上記各インシュレータ部材の中途部からそれぞれ上記コアの径方向の一方向に向かって一体的に突出しその各突出端部が上記嵌合体に一体的に結合される結合バーとを備え、上記コアの軸方向の外方域から上記各スロットに対し、上記各インシュレータ部材の中途部と共に上記各結合バーを嵌入可能にすると共に、上記各スロットに嵌入された上記結合バーを切断することにより、上記のように結合体を除去することを特徴とする請求項２に記載の電機子の絶縁方法。
【発明の詳細な説明】
【技術分野】
【０００１】
本発明は、コアと巻線との間に介設されてこれらを電気的に絶縁するインシュレータが、上記コアに形成された各ティース間のスロットに嵌入される複数のインシュレータ部材を備えた電機子、およびその絶縁方法に関するものである。
【背景技術】
【０００２】
上記電機子には、従来、下記特許文献１に示されるものがある。この公報のものによれば、上記電機子は直流電動機の構成部品とされている。この電機子は、出力軸となる回転軸の一端部側に支持され、この回転軸と共に回転するコアと、このコアの外面側に取り付けられるインシュレータと、このインシュレータを介し上記コアに巻装される巻線と、上記回転軸の他端部側に支持され、この回転軸と共に回転する整流子とを備えている。
【０００３】
上記コアは、その軸心上に位置する円筒形状のボス部と、このボス部からその軸心の径方向の一方向である外方に向かって突出し、上記軸心回りの周方向で複数設けられるティースとを備えている。一方、上記インシュレータは、上記周方向で互いに隣り合う両ティース間の各スロットにそれぞれ嵌入される複数のインシュレータ部材と、上記コアの軸方向での一端部における上記ティースの一端面を覆い、上記各インシュレータ部材の一端部と互いに一体的に結合されるカバー体と、上記コアの軸方向での他端部における上記ティースの他端面を覆い、上記各インシュレータ部材の他端部と互いに一体的に結合される他のカバー体とを備えている。そして、上記巻線は、上記各インシュレータ部材をそれぞれ介して上記コアに巻装されている。
【０００４】
上記インシュレータは、その軸方向の一端部側と他端部側とが互いに別体となるよう２つに分断されている。これらインシュレータの各端部側が備える上記各インシュレータ部材の端部側の各分断端は、上記各スロット内で互いに突き合わされている。
【０００５】
そして、上記整流子を通して上記巻線に電流が流されると、電機子が回転し、上記回転軸から駆動力が出力可能とされる。
【０００６】
ここで、上記電機子の絶縁方法は、次のようなものである。即ち、まず、上記コアと、インシュレータの一端部側および他端部側とがそれぞれ個別に形成される。そして、上記インシュレータの各端部側が上記コアの軸方向の各外方域に位置させられ、次に、上記各インシュレータ部材の端部側が、その各分断端側から上記各スロットにそれぞれ嵌入される。この嵌入の進行により、上記各インシュレータ部材の端部側の各分断端同士が、上記各スロット内で突き合せられれば、上記各スロットに対する上記インシュレータの嵌入作業が終了する。次に、このインシュレータを介し上記コアに巻線を巻装すれば、上記電機子の絶縁作業が終了する。
【０００７】
また、上記電機子には、従来、下記特許文献２に示されるものもある。この公報における電機子のコアはステータを構成するものであって、その軸心上に位置して円筒形状をなすヨークと、このヨークの内面からその軸心の径方向の一方向である内方に向かって突出し、上記軸心回りの周方向で複数設けられるティースとを備えている。
【０００８】
他の構成や絶縁方法は、前記特許文献１のものと同様である。
【特許文献１】特開２００３−８８０２９号公報
【特許文献２】特開２００４−３５０４０１号公報
【発明の開示】
【発明が解決しようとする課題】
【０００９】
ところで、上記駆動力の出力を、より大きくしたいなどの場合に、上記コアの外径寸法を抑制したままで、その軸方向長さをより長くすることにより、上記巻線の巻線量を多くしたい場合がある。そして、このようにする場合には、上記インシュレータが備える各インシュレータ部材もそれぞれ長くする必要が生じる。しかし、これら各インシュレータ部材を単に長くすると、次のような問題点が生じてくる。
【００１０】
即ち、前記した電機子の絶縁方法において、上記各インシュレータ部材の端部側が、その各分断端側から各スロットに嵌入されるとき、上記各インシュレータ部材は、上記のように長くされた分、上記各スロットの内面から与えられる摩擦抵抗に対する強度と剛性とが低下して、容易に屈曲しがちとなる。そして、これにより、上記各スロットへの各インシュレータ部材の円滑な嵌入作業が阻害されるおそれを生じ、つまり、上記電機子の円滑な絶縁作業が阻害されるおそれを生じる。
【００１１】
そこで、上記電機子の絶縁方法において、上記各インシュレータ部材が、上記各スロットの内面から与えられる摩擦抵抗に十分に対抗して容易には屈曲しないよう、上記各インシュレータ部材の肉厚を、より大きくして上記強度と剛性とを向上させることが考えられる。
【００１２】
しかし、上記のようにすると、上記各インシュレータ部材の肉厚を、より大きくした分、上記各スロットに嵌入された各インシュレータ部材の内部容量が少なくなる。このため、これら各インシュレータ部材を介してコアに巻装される巻線の巻線量の増加が阻害されるという不都合が生じる。
【課題を解決するための手段】
【００１３】
本発明は、上記のような事情に注目してなされたもので、本発明の目的は、コアにおける各スロットに対し、インシュレータが備える各インシュレータ部材を上記コアの軸方向で嵌入させ、上記インシュレータを介し上記コアに巻線を巻装させるようにした電機子において、上記コアの軸方向で、このコアと上記インシュレータとをより長くすることにより、上記巻線の巻線量の増加が十分に多くできるようにすることである。
【００１４】
また、本発明の他の目的は、上記電機子の絶縁作業が容易にできるようにすることである。
【００１５】
請求項１の発明は、コア４と、このコア４の外面側に取り付けられるインシュレータ５と、このインシュレータ５を介し上記コア４に巻装される巻線６とを備え、上記コア４が、その軸心３の径方向の一方向に向かって突出して上記軸心３回りの周方向で複数設けられるティース１１を備え、一方、上記インシュレータ５が、上記周方向で互いに隣り合う両ティース１１間の各スロット１２にそれぞれ嵌入される複数のインシュレータ部材１４を備えた電機子において、
上記コア４の軸方向における上記インシュレータ５の一端部側５ａ、他端部側５ｂ、および中途部５ｃが互いに別体となるようこのインシュレータ５を分断したものである。
【００１６】
請求項２の発明は、請求項１に記載の電機子の絶縁方法であって、
上記インシュレータ５の中途部５ｃが備える上記各インシュレータ部材１４の中途部１４ｃを、上記コア４の外方域において上記各スロット１２の配置に相応するよう配置すると共に結合体１９により互いに一体的に結合し、次に、上記各インシュレータ部材１４の中途部１４ｃを上記各スロット１２に嵌入し、次に、上記各インシュレータ部材１４の中途部１４ｃ側から上記結合体１９を除去するようにしたものである。
【００１７】
請求項３の発明は、請求項２の発明に加えて、上記結合体１９が、上記コア４の軸方向の外方域からこのコア４に嵌合可能とされる嵌合体２０と、上記各インシュレータ部材１４の中途部１４ｃからそれぞれ上記コア４の径方向の一方向に向かって一体的に突出しその各突出端部が上記嵌合体２０に一体的に結合される結合バー２１とを備え、上記コア４の軸方向の外方域から上記各スロット１２に対し、上記各インシュレータ部材１４の中途部１４ｃと共に上記各結合バー２１を嵌入可能にすると共に、上記各スロット１２に嵌入された上記結合バー２１を切断することにより、上記のように結合体１９を除去するものである。
【００１８】
なお、この項において、上記各用語に付記した符号は、本発明の技術的範囲を後述の「実施例」の項や図面の内容に限定解釈するものではない。
【発明の効果】
【００１９】
本発明による効果は、次の如くである。
【００２０】
請求項１の発明は、コアと、このコアの外面側に取り付けられるインシュレータと、このインシュレータを介し上記コアに巻装される巻線とを備え、上記コアが、その軸心の径方向の一方向に向かって突出して上記軸心回りの周方向で複数設けられるティースを備え、一方、上記インシュレータが、上記周方向で互いに隣り合う両ティース間の各スロットにそれぞれ嵌入される複数のインシュレータ部材を備えた電機子において、
上記コアの軸方向における上記インシュレータの一端部側、他端部側、および中途部が互いに別体となるようこのインシュレータを分断している。
【００２１】
このため、上記コアの軸方向で、このコアと上記インシュレータとをより長くしたとしても、上記したように、このインシュレータは一端部側、他端部側、および中途部に分断されていて、これらがそれぞれ備えるインシュレータ部材の一端部側、他端部側、および中途部の各長さはそれぞれ短く抑制できる。
【００２２】
よって、電機子の絶縁方法において、上記各スロットに対し上記各インシュレータ部材を嵌入させる場合に、上記各スロットの内面から与えられる摩擦抵抗に十分に対抗させる、ということは、上記各インシュレータ部材の肉厚を大きくすることなく達成される。この結果、上記各スロットに嵌入される各インシュレータ部材の肉厚を大きくすることにより、その内部容量が少なくなる、ということは防止される。つまり、上記コアとインシュレータとを長くすることにより、その各インシュレータ部材を介してコアに巻装される巻線の巻線量の増加を十分に多くさせることができる。
【００２３】
請求項２の発明は、請求項１に記載の電機子の絶縁方法であって、
上記インシュレータの中途部が備える上記各インシュレータ部材の中途部を、上記コアの外方域において上記各スロットの配置に相応するよう配置すると共に結合体により互いに一体的に結合し、次に、上記各インシュレータ部材の中途部を上記各スロットに嵌入し、次に、上記各インシュレータ部材の中途部側から上記結合体を除去するようにしている。
【００２４】
このため、上記電機子の絶縁方法において、上記各スロットに対し各インシュレータ部材の中途部を嵌入させる場合に、上記各インシュレータ部材の中途部を互いに一体的に同時に嵌入させることができる。よって、上記各インシュレータ部材の中途部を個別に嵌入させることに比べて、上記電機子の絶縁作業がより容易にできる。
【００２５】
請求項３の発明は、上記結合体が、上記コアの軸方向の外方域からこのコアに嵌合可能とされる嵌合体と、上記各インシュレータ部材の中途部からそれぞれ上記コアの径方向の一方向に向かって一体的に突出しその各突出端部が上記嵌合体に一体的に結合される結合バーとを備え、上記コアの軸方向の外方域から上記各スロットに対し、上記各インシュレータ部材の中途部と共に上記各結合バーを嵌入可能にすると共に、上記各スロットに嵌入された上記結合バーを切断することにより、上記のように結合体を除去することとしている。
【００２６】
このため、上記電機子の絶縁方法において、上記各スロットに対し各インシュレータ部材の中途部を嵌入させて、この嵌入を上記コアの軸方向における各スロットの中途部に向けて進行させる場合、この嵌入の進行作業は、上記コアの径方向の離反域で上記嵌合体を把持したり、押動したり、引張したりしてすることができ、上記進行作業は容易にできる。
【００２７】
しかも、上記結合体の除去は、上記結合バーを単に切断することにより達成されるのであって、上記結合体の除去作業も極めて容易である。
【００２８】
よって、電機子の絶縁作業が更に容易にできる。
【発明を実施するための最良の形態】
【００２９】
本発明の電機子に関し、コアにおける各スロットに対し、インシュレータが備える各インシュレータ部材を上記コアの軸方向で嵌入させ、上記インシュレータを介し上記コアに巻線を巻装させるようにした電機子において、上記コアの軸方向で、このコアと上記インシュレータとをより長くすることにより、上記巻線の巻線量の増加が十分に多くできるようにする、という目的を実現するため、本発明を実施するための最良の形態は、次の如くである。
【００３０】
即ち、電機子は、コアと、このコアの外面側に取り付けられるインシュレータと、このインシュレータを介し上記コアに巻装される巻線とを備えている。上記コアは、その軸心の径方向の一方向に向かって突出して上記軸心回りの周方向で複数設けられるティースを備えている。一方、上記インシュレータは、上記周方向で互いに隣り合う両ティース間の各スロットにそれぞれ嵌入される複数のインシュレータ部材を備えている。上記コアの軸方向における上記インシュレータの一端部側、他端部側、および中途部が互いに別体となるようこのインシュレータが分断されている。
【実施例】
【００３１】
本発明をより詳細に説明するために、その実施例を添付の図に従って説明する。
【００３２】
図１−６において、符号１は、直流電動機の構成部品である回転電機子（アーマチュアロータ）である。
【００３３】
上記電機子１は、回転軸２と同じ軸心３上でこの回転軸２の一端部側に支持され、この回転軸２と共に回転するコア４と、このコア４の外面側に取り付けられるインシュレータ５と、このインシュレータ５を介し上記コア４に巻装される巻線６と、上記回転軸２の他端部側に支持され、この回転軸２と共に回転する整流子７とを備えている。
【００３４】
上記回転軸２は上記軸心３回りに回転可能となるよう不図示のヨークに支持され、電動機の駆動力を出力する出力軸である。上記コア４は、その軸心３上に位置して上記回転軸２に外嵌されて支持される円筒形状のボス部１０と、このボス部１０からその軸心３の径方向の一方向である外方に向かって一体的に突出し、上記軸心３回りの周方向で複数（１０ヶ）設けられるティース１１とを備えている。
【００３５】
上記コア４は多数の鉄板材を軸方向に積層することにより形成されている。上記ティース１１は、互いに同形同大で、上記周方向で等ピッチに配置されている。上記周方向で互いに隣り合う両ティース１１の間には、上記軸心３に沿った視線でみて（図３）、Ｕ字形状の複数（１０ヶ）のスロット１２が形成されている。これら各スロット１２は、その奥部の幅寸法よりも開口部の幅寸法が狭くなるよう形成されている。これら各スロット１２も互いに同形同大とされている。
【００３６】
上記インシュレータ５は樹脂製であって、上記コア４と巻線６との間に介設されてこれらを電気的に絶縁する。上記インシュレータ５は、上記各スロット１２に対し、コア４の軸方向でそれぞれ嵌入される複数のインシュレータ部材１４と、上記コア４の軸方向での一端部における上記ティース１１の一端面を覆い、上記各インシュレータ部材１４の一端部と互いに一体的に結合されるカバー体１５と、上記コア４の軸方向での他端部における上記ティース１１の他端面を覆い、上記各インシュレータ部材１４の他端部と互いに一体的に結合される他のカバー体１６とを備えている。上記各カバー体１５，１６には、上記各インシュレータ部材１４の内部空間を上記コア４の軸方向の外方に向けて開口させる切り欠き１７が形成されている。
【００３７】
上記各インシュレータ部材１４は上記各スロット１２の内面に全体的に接合させられている。上記各インシュレータ部材１４は、上記軸心３に沿った視線で見て（図３）、上記スロット１２と同様のＵ字形状とされている。
【００３８】
上記コア４の軸方向における上記インシュレータ５の一端部側５ａ、他端部側５ｂ、および中途部５ｃは互いに別体となるよう分断されている。この場合、上記インシュレータ５の一端部側５ａが備える各インシュレータ部材１４の一端部側１４ａは、上記カバー体１５と共に互いに一体的に形成されている。一方、上記インシュレータ５の他端部側５ｂが備える各インシュレータ部材１４の他端部側１４ｂは、上記他のカバー体１６と共に互いに一体的に形成されている。一方、上記インシュレータ５の中途部５ｃが備える各インシュレータ部材１４の中途部１４ｃは、互いに別体とされて個別に上記スロット１２に嵌入されている。また、上記各インシュレータ部材１４の一端部側１４ａ、他端部側１４ｂ、および中途部１４ｃの各分断端（対向端）は上記各スロット１２内で互いに突き合わされている。具体的には、各分断端は互いに接合し、もしくは、小さな隙間をおいて対向している。
【００３９】
全図により、上記電機子１の絶縁方法につき説明する。
【００４０】
まず、特に図７で示すように、上記コア４と、インシュレータ５の一端部側５ａ、他端部側５ｂ、および中途部５ｃとがそれぞれ個別に形成される。この場合、上記インシュレータ５の中途部５ｃが備える上記各インシュレータ部材１４の中途部１４ｃは、上記コア４の外方域において上記各スロット１２の配置に相応するよう配置されると共に樹脂製の結合体１９により互いに一体的に結合されている。上記各インシュレータ部材１４の中途部１４ｃと、上記結合体１９とは射出成形により一体的に形成される。
【００４１】
上記結合体１９は、上記コア４の軸方向の外方域からこのコア４に遊嵌状に外嵌するよう嵌合可能とされる環形状の嵌合体２０と、上記各インシュレータ部材１４の中途部１４ｃからそれぞれ上記コア４の径方向外方に向かって一体的に突出し、その突出端部が上記嵌合体２０に一体的に結合される結合バー２１とを備えている。
【００４２】
上記結合バー２１は、上記インシュレータ部材１４の中途部１４ｃにおいて、コア４の軸方向の端部で、互いに対向する開口縁部からそれぞれ突出させられている。上記結合バー２１は、上記コア４の軸方向の外方域から上記各スロット１２に対し、上記各インシュレータ部材１４の中途部１４ｃと共に嵌入可能とされている。
【００４３】
そして、上記コア４の軸方向の外方域から、上記各スロット１２に対し上記各インシュレータ部材１４の中途部１４ｃと各結合バー２１とが嵌入させられる。また、これに続いて、上記各インシュレータ部材１４の一端部側１４ａと他端部側１４ｂとが上記コア４の軸方向の各外方域からこのコア４の一端部側と他端部側との各スロット１２の部分に嵌入させられる。この際、上記各スロット１２に嵌入されていた上記各インシュレータ部材１４の中途部１４ｃは、上記各インシュレータ部材１４の一端部側１４ａと他端部側１４ｂとのうちの少なくともいずれか一方に押されて、上記各スロット１２の所定位置に嵌入される。
【００４４】
次に、上記各スロット１２に嵌入された上記各結合バー２１がニッパーなどの切断工具により切断されて、上記各インシュレータ部材１４の中途部１４ｃ側から上記結合体１９が除去される。この後、上記巻線６を巻装すれば、上記電機子１の絶縁作業が終了する。
【００４５】
上記構成によれば、コア４の軸方向における上記インシュレータ５の一端部側５ａ、他端部側５ｂ、および中途部５ｃが互いに別体となるようこのインシュレータ５を分断している。
【００４６】
このため、上記コア４の軸方向で、このコア４と上記インシュレータ５とをより長くしたとしても、上記したように、このインシュレータ５は一端部側５ａ、他端部側５ｂ、および中途部５ｃに分断されていて、これら５ａ，５ｂ，５ｃがそれぞれ備えるインシュレータ部材１４の一端部側１４ａ、他端部側１４ｂ、および中途部１４ｃの各長さはそれぞれ短く抑制できる。
【００４７】
よって、電機子１の絶縁方法において、上記各スロット１２に対し上記各インシュレータ部材１４を嵌入させる場合に、上記各スロット１２の内面から与えられる摩擦抵抗に十分に対抗させる、ということは、上記各インシュレータ部材１４の肉厚を大きくすることなく達成される。この結果、上記各スロット１２に嵌入される各インシュレータ部材１４の肉厚を大きくすることにより、その内部容量が少なくなる、ということは防止される。つまり、上記コア４とインシュレータ５とを長くすることにより、その各インシュレータ部材１４を介してコア４に巻装される巻線６の巻線量の増加を十分に多くさせることができる。
【００４８】
また、前記電機子の絶縁方法であって、
上記インシュレータ５の中途部５ｃが備える上記各インシュレータ部材１４の中途部１４ｃを、上記コア４の外方域において上記各スロット１２の配置に相応するよう配置すると共に結合体１９により互いに一体的に結合し、次に、上記各インシュレータ部材１４の中途部１４ｃを上記各スロット１２に嵌入し、次に、上記各インシュレータ部材１４の中途部１４ｃ側から上記結合体１９を除去するようにしている。
【００４９】
このため、上記電機子１の絶縁方法において、上記各スロット１２に対し各インシュレータ部材１４の中途部１４ｃを嵌入させる場合に、上記各インシュレータ部材１４の中途部１４ｃを互いに一体的に同時に嵌入させることができる。よって、上記各インシュレータ部材１４の中途部１４ｃを個別に嵌入させることに比べて、上記電機子１の絶縁作業がより容易にできる。
【００５０】
また、前記したように、結合体１９が、上記コア４の軸方向の外方域からこのコア４に外嵌するよう嵌合可能とされる嵌合体２０と、上記各インシュレータ部材１４の中途部１４ｃからそれぞれ上記コア４の径方向外方に向かって一体的に突出しその各突出端部が上記嵌合体２０に一体的に結合される結合バー２１とを備え、上記コア４の軸方向の外方域から上記各スロット１２に対し、上記各インシュレータ部材１４の中途部１４ｃと共に上記各結合バー２１を嵌入可能にすると共に、上記各スロット１２に嵌入された上記結合バー２１を切断することにより、上記のように結合体１９を除去することとしている。
【００５１】
このため、上記電機子１の絶縁方法において、上記各スロット１２に対し各インシュレータ部材１４の中途部１４ｃを嵌入させて、この嵌入を上記コア４の軸方向における各スロット１２の中途部に向けて進行させる場合、この嵌入の進行作業は、上記コア４の径方向外方の離反域（コア４の外部空間）で上記嵌合体２０を操作することによりでき、具体的には嵌合体２０を把持したり、押動したり、引張したりすることによりでき、上記進行作業は容易にできる。
【００５２】
しかも、上記結合体１９の除去は、上記結合バー２１を単に切断することにより達成されるのであって、上記結合体１９の除去作業も極めて容易である。
【００５３】
よって、電機子１の絶縁作業が更に容易にできる。
【００５４】
なお、以上は図示の例によるが、上記各インシュレータ部材１４の中途部１４ｃは、コア４の軸方向で複数に分断してもよい。また、上記嵌合体２０は矩形枠形状であってもよい。また、この嵌合体２０は上記軸心３回りで複数に分断されていてもよい。また、上記各結合バー２１は、上記コア４の軸方向における各インシュレータ部材１４の中途部１４ｃのいずれの部位から突出させてもよい。
【００５５】
また、上記各スロット１２に対し各インシュレータ部材１４の中途部１４ｃを嵌入させて、この嵌入を上記コア４の軸方向における各スロット１２の中途部に向けて進行させる場合、上記各スロット１２に一体的に嵌入される治具により、上記各インシュレータ部材１４の中途部１４ｃを押動させるようにしてもよい。
【００５６】
また、上記電機子１のコア４はステータを構成するものであって、その軸心３上に位置して円筒形状をなすヨークと、このヨークの内面からその軸心３の径方向の一方向である内方に向かって突出し、上記軸心３回りの周方向で複数設けられるティース１１とを備えるものであってもよい。
【００５７】
この場合、上記嵌合体２０はコア４に内嵌するよう嵌合可能とされ、結合バー２１は各インシュレータ部材１４の中途部１４ｃから上記コア４の径方向内方に向かって一体的に突出し、その各突出端部が上記嵌合体２０に一体的に結合される。また、電機子１の絶縁方法における嵌合体２０への操作は、上記コア４の径方向内方の離反域（コア４の内部空間）ですることができる。
【図面の簡単な説明】
【００５８】
【図１】図３のI−I線矢視断面図である。
【図２】電機子の平面図である。
【図３】図２のIII−III線矢視部分断面図である。
【図４】図３の部分拡大図である。
【図５】図４のV−V線矢視断面図である。
【図６】インシュレータの部分斜視図である。
【図７】電機子の絶縁方法を示す作用説明図である。
【符号の説明】
【００５９】
１    電機子
２    回転軸
３    軸心
４    コア
５    インシュレータ
５ａ  一端部側
５ｂ  他端部側
５ｃ  中途部
６    巻線
７    整流子
１０  ボス部
１１  ティース
１２  スロット
１４  インシュレータ部材
１４ａ  一端部側
１４ｂ  他端部側
１４ｃ  中途部
１５  カバー体
１６  カバー体
１９  結合体
２０  嵌合体
２１  結合バー
【図１】
2007244185.tif 000003
【図２】
2007244185.tif 000004
【図３】
2007244185.tif 000005
【図４】
2007244185.tif 000006
【図５】
2007244185.tif 000007
【図６】
2007244185.tif 000008
【図７】
2007244185.tif 000009